(57)【要約】【課題】電子番組ガイド生成装置に編成チャンネル数と編成チャンネルごとに登録可能な番組数を柔軟に変更可能とすることで、各放送事業者ごとの編成チャンネルに合わせて、装置に登録可能な番組数を最大限に生かした番組登録を可能とする。【解決手段】基本形記憶部２２に編成チャンネル数と１編成チャンネルあたりの番組数の２値の上限値の組合せが複数個記録されていて、基本形選択部２１にこれらを表示しユーザーにその中の１つを選択させ、その結果を動作条件記憶部２０に記録する。編成チャンネル情報入力部１１は動作条件記憶部２０から編成チャンネル数の上限値を、番組情報入力部は動作条件記憶部２０から１編成チャンネルあたりの番組数の上限値を取得し制御する。【選択図】図１
2006148400.tif 000002
【特許請求の範囲】
【請求項１】
１編成チャンネルあたりに登録可能な最大番組数と編成チャンネル数の基本型を複数保持する記憶部と、この基本形群をディスプレイに表示しユーザーに選択させるための選択部と、選択結果を保持するための記憶部を有し、この選択結果の情報を上限値として動作することを特徴とする電子番組ガイド生成装置。
【請求項２】
１編成チャンネルあたりに登録可能な最大番組数をユーザーに入力させるための入力部と、前記入力部で入力した値から利用可能な最大編成チャンネル数を算出する演算部と、この演算結果を保持するための記憶部を有し、この演算結果の情報を上限値として動作することを特徴とする電子番組ガイド生成装置。
【請求項３】
１編成チャンネルごとに登録可能な最大番組数をユーザーに入力させるための入力部と、前記入力部で入力した値から利用可能な最大編成チャンネル数を算出する演算部と、この演算結果を保持するための記憶部を有し、この演算結果の情報を上限値として動作することを特徴とする電子番組ガイド生成装置。
【発明の詳細な説明】
【技術分野】
【０００１】
本発明は、例えば、デジタル放送システムの技術に関するもので、特に番組特定情報または番組配列情報を生成する装置に関するものである。
【背景技術】
【０００２】
ケーブルテレビを含むデジタルテレビ放送局において、電子番組ガイド生成装置は、デジタル放送用の受信機に対して電子番組ガイドを生成するための機器として利用されている。
【０００３】
図５は従来の電子番組ガイド生成装置の大まかな構成図を示したものであり、１は電子番組ガイド生成装置、１１は編成チャンネル情報入力部、１２は編成チャンネル情報記憶部、１３は番組情報入力部、１４は番組情報記憶部、１５は電子番組ガイド生成部を表す。
【０００４】
電子番組ガイド生成装置１は、編成チャンネル情報記憶部１２と番組情報記憶部１４から編成チャンネル情報および番組情報を読込み、電子番組ガイド生成部１５で電子番組ガイドを生成する仕組みとなっている（例えば、特許文献１を参照）。
【０００５】
ところで、編成チャンネル数と１編成チャンネルあたりに登録可能な番組数と、この２値を乗じて算出される装置に登録可能な番組情報数の３値については設計上、上限値がある。
【０００６】
このように上限値が存在するため、１編成チャンネルあたりに登録可能な番組数の上限値を大幅に下回る編成チャンネルを数多く放送対象としているが、装置に登録可能な番組情報数の上限値に達することはない運用予定であるにも関わらず編成チャンネル数の上限の制約を受けたり、あるいは、編成チャンネル数の上限を大幅に下回る運用予定であり、装置に登録可能な番組情報数の上限に達することはない運用予定であるにも関わらず、その中の１つの編成チャンネルあたりに登録可能な番組数が上限の制約を受けたりすることがある。
【０００７】
これを回避するために、放送事業者は装置の追加購入が必要となり、また、購入機会を損失するなど、放送事業者に不利益をもたらす可能性があった。
【特許文献１】特開２００１−１８６４８１号公報
【発明の開示】
【発明が解決しようとする課題】
【０００８】
編成チャンネル数と編成チャンネルごとに登録可能な番組数を柔軟に変更可能とすることで、各放送事業者ごとの編成チャンネルに合わせて、装置に登録可能な番組数を最大限に生かした番組登録を可能とする。
【課題を解決するための手段】
【０００９】
編成チャンネル数と編成チャンネルごとに登録可能な番組数の２値の上限値の組合せを記憶装置に複数個登録しておき、ユーザーにこの組合せの中から選択させることにより、簡単に放送事業者の運用に応じた動作条件に変更できること。
【００１０】
また、装置を運用する放送事業者の編成チャンネル数を入力することにより、装置に登録可能な番組数の上限値から計算により１編成チャンネル数の上限を決定することにより、柔軟に放送事業者の運用に応じた動作条件に変更できる。
【００１１】
また、装置を運用する放送事業者の編成チャンネル１つずつに対して編成チャンネルの実態に応じて登録可能な番組数の上限を設定するものであり、柔軟に放送事業者の運用に応じた動作条件に変更できる
【発明の効果】
【００１２】
本発明により、電子番組ガイド生成装置は、これを利用する放送事業者の編成チャンネルに応じて、編成チャンネル数や１編成チャンネルあたりの番組数を調整することが可能となり、各放送事業者ごとの編成チャンネルに合わせて、装置に登録可能な番組数を最大限に活用した利用が可能となる。
【発明を実施するための最良の形態】
【００１３】
以下本発明の実施の形態について、番組特定情報または番組配列情報を生成する電子番組ガイド生成装置を例にとり、図面を参照しながら説明する。
【００１４】
（実施の形態１）
図１は、本願の実施例の図であって、１は電子番組ガイド生成装置、１１は編成チャンネル情報入力部、１２は編成チャンネル情報記憶部、１３は番組情報入力部、１４は番組情報記憶部、１５は電子番組ガイド生成部、２０は動作条件記憶部、２１は基本形選択部、２２は基本形記憶部を表す。
【００１５】
基本形記憶部２２に編成チャンネル数と１編成チャンネルあたりの番組数の２値の上限値の組合せが複数個記録されていて、基本形選択部２１にこれらを表示しユーザーにその中の１つを選択させ、その結果を動作条件記憶部２０に記録する。
【００１６】
編成チャンネル情報入力部１１は動作条件記憶部２０から編成チャンネル数の上限値を、番組情報入力部１３は動作条件記憶部２０から１編成チャンネルあたりの番組数の上限値を取得し制御する。
【００１７】
編成チャネル情報と番組情報を編成チャンネル情報入力部１１、番組情報入力部１３に入力し、電子番組ガイド生成部１５が、編成チャンネル情報記憶部１２、番組情報記憶部１４から、それぞれ情報を取り出し、電子番組ガイドを生成するのは従来例と同様である。
【００１８】
これにより、電子番組ガイド生成装置を利用する放送事業者に応じて、編成チャンネル数および１編成チャンネルあたりの番組数の組み合わせを任意に選択することが可能となり、各放送事業者ごとに、装置に登録可能な番組数を最大限に活用した利用が可能となる。
【００１９】
（実施の形態２）
図２は、本願の別の実施例の図であって、１は電子番組ガイド生成装置、１１は編成チャンネル情報入力部、１２は編成チャンネル情報記憶部、１３は番組情報入力部、１４は番組情報記憶部、１５は電子番組ガイド生成部、２０は動作条件記憶部、３１は編成チャンネル上限数演算部、３２は番組上限数入力部を表す。
【００２０】
番組上限数入力部３２で１編成チャンネルあたりの番組数の上限値を入力すると、編成チャンネル上限数演算部３１が、装置に登録可能な番組数の上限値を１編成チャンネルあたりの番組数で除算した解を装置に登録可能な編成チャンネル数として算出し、１編成チャンネルあたりの番組数の上限値と装置に登録可能な編成チャンネル数の上限値を動作条件記憶部２０に記録する。
【００２１】
編成チャンネル情報入力部１１は動作条件記憶部２０から編成チャンネル数の上限値を、番組情報入力部１３は動作条件記憶部２０から１編成チャンネルあたりの番組数の上限値を取得し制御する。
【００２２】
編成チャネル情報と番組情報を編成チャンネル情報入力部１１、番組情報入力部１３に入力し、電子番組ガイド生成部１５が、編成チャンネル情報記憶部１２、番組情報記憶部１４から、それぞれ情報を取り出し、電子番組ガイドを生成するのは従来例と同様である。
【００２３】
このように、１編成チャンネルあたりの番組数の上限値を入力することで、編成チャンネル数の上限値を装置が計算し、これに基づいて自動的に１編成チャンネルあたりの番組数と編成チャンネル数の上限値の組み合わせを装置に設定することが可能となる。これにより、各放送事業者ごとに、装置に登録可能な番組数を最大限に活用した利用が容易に実現される。
【００２４】
（実施の形態３）
図３は、本願の実施例の図であって、１は電子番組ガイド生成装置、１１は編成チャンネル情報入力部、１２は編成チャンネル情報記憶部、１３は番組情報入力部、１４は番組情報記憶部、１５は電子番組ガイド生成部、２０は動作条件記憶部、４１は編成チャンネル上限数演算部、４２は番組上限数入力部を表す。
【００２５】
図４は、本実施の形態にかかる演算の例を示したフローチャートである。図４では、各編成チャンネルごとの番組数の上限値を入力することにより、装置で利用可能な編成チャンネル数を算出する演算の例を示している。
【００２６】
図４において、処理１０１で変数ａに装置あたりに登録可能な番組数の上限値を設定し、処理１０２で本演算の解となる変数Ａｎｓに０を設定し、処理１０３で１つの編成チャンネルに登録可能な番組数を入力し、判定１０４でａがｂ未満であるかを判定し、真であればこれ以上の登録は不可能として演算を終了し、偽であれば処理１０５でａからｂを減算した値をａに設定し、Ａｎｓに１を加算し、判定１０７では入力終了かを確認し偽であれば処理１０３に戻り、真であれば処理を終了する。
【００２７】
番組上限数入力部４２で各編成チャンネルごとの番組数の上限値を入力すると、編成チャンネル上限数演算部４１が装置に登録可能な編成チャンネル数を図４で示すフローチャートに基づく演算で算出し、各編成チャンネルの番組数の上限値と装置に登録可能な編成チャンネル数の上限値を動作条件記憶部２０に記録する。
【００２８】
編成チャンネル情報入力部１１は動作条件記憶部２０から編成チャンネル数の上限値を、番組情報入力部は動作条件記憶部２０から各編成チャンネルの番組数の上限値を取得し制御する。
【００２９】
編成チャネル情報と番組情報を編成チャンネル情報入力部１１、番組情報入力部１３に入力し、電子番組ガイド生成部１５が、編成チャンネル情報記憶部１２、番組情報記憶部１４から、それぞれ情報を取り出し、電子番組ガイドを生成するのは従来例と同様である。
【００３０】
このように、１編成チャンネルがそれぞれ登録可能な番組数の上限値を個別に入力することで、装置あたりに登録可能な番組数の上限値から編成チャンネル数の上限値を装置が計算し、これに基づいて自動的に１編成チャンネルあたりの番組数と編成チャンネル数の上限値の組み合わせを装置に設定することが可能となる。これにより、各放送事業者の運用実態に応じた編成チャンネル数の上限値設定が可能となり、装置に登録可能な番組数を最大限に活用した利用が容易に実現される。
【００３１】
以上、実施の形態１から３においては各機能が個々の要素となって本発明を実現する例を用いて説明したが、これら各機能を実現する各手段が１つまたは複数のチップ上で動作する構成とすることも可能である。また、これらの各手段をコンピュータで読み取り可能なプログラムまたはプログラムに順ずるものとして構成し、電子番組ガイド生成装置やこれと同等の機能を実現可能な装置にソフトウェアとして組み込むことも可能である。さらに、これらプログラム等をＣＤ−ＲＯＭ等の記録媒体に格納することも可能である。これにより、上記各機能を実現する各手段を電子番組ガイド生成装置やこれと同等の機能を実現可能な様々な装置で実現することができる。
【産業上の利用可能性】
【００３２】
編成チャンネル数や１編成チャンネルあたりの番組数の上限を調整できるので、特に電子番組ガイド生成装置を必要とするデジタル放送事業者にこの装置を提供できる可能性が広がる。
【図面の簡単な説明】
【００３３】
【図１】本発明の実施の形態１に係る構成を示すブロック図
【図２】本発明の実施の形態２に係る構成を示すブロック図
【図３】本発明の実施の形態３に係る構成を示すブロック図
【図４】実施の形態３に記載する演算方法を示すフローチャート
【図５】従来の電子番組ガイドの構成の一例を示すブロック図
【符号の説明】
【００３４】
１    電子番組ガイド生成装置
１１    編成チャンネル情報入力部
１２    編成チャンネル情報記憶部
１３    番組情報入力部
１４    番組情報記憶部
１５    電子番組ガイド生成部
２０    動作条件記憶部
２１    基本形選択部
２２    基本形記憶部
３１    番組上限数入力部
３２    編成チャンネル上限数演算部
４１    番組上限数入力部
４２    編成チャンネル上限数演算部
【図１】
2006148400.tif 000003
【図２】
2006148400.tif 000004
【図３】
2006148400.tif 000005
【図４】
2006148400.tif 000006
【図５】
2006148400.tif 000007